(57)【要約】【課題】遮断器ケース，および内部組立構造を変えずに、遮断器に搭載した遮断特性切換用スイッチのスイッチカバーに所要の絶縁距離を確保して安全操作できるようにする。【解決手段】遮断動作特性を切り換える切換スイッチ５，６を搭載し、かつ該スイッチに操作ノブ８ａ付きのスイッチカバー８を被せた上で、その操作ノブを遮断器ケースの操作窓穴に臨ませて手動で切り換え操作するようにした回路遮断器において、スイッチカバーには側方に延長した延長部８ｂを形成し、ここに操作ノブを設けて切換スイッチ本体との間に所要の絶縁距離を確保するようにし、具体的には前記切換スイッチをスライドスイッチとして、該スイッチを電子制御回路に通じる配線用のフレキシブル基板７に実装，接続し、かつスイッチカバーの形状を平面Ｌ字形としてその延長部の先端に操作ノブを設けた上でトリップコイルユニット４の上に配置し、さらに該ユニットケース側に形成した凸条のガイドレール４ａにスイッチカバーの裏面に形成したガイド溝（凹溝）８ｄを嵌合してスライド可能に案内支持させる。【選択図】      図１
2005166274.tif 000002
【特許請求の範囲】
【請求項１】
遮断器の使用用途に応じて遮断動作特性を切り換える切換スイッチを搭載し、かつ該切換スイッチの摘まみに連結してそのスイッチ本体に操作ノブ付きのスイッチカバーを被せた上で、そのスイッチカバーの操作ノブを遮断器ケースのカバーに開口した操作窓穴に臨ませて前記切換スイッチを手動で切り換え操作するようにした回路遮断器において、
前記スイッチカバーの一端を同じ面上に延長した上で、そのカバー延長部上で切換スイッチの本体と離間した位置に操作ノブを設けたことを特徴とする回路遮断器。
【請求項２】
請求項１に記載の回路遮断器において、切換スイッチおよびそのスイッチカバーの延長部を遮断器ケース内に配した別部品ユニットの上に配置するとともに、該ユニットのケース面上にガイドレールを形成し、該ガイドレールに沿って前記スイッチカバーの延長部をスイッチ切り換え操作方向にスライド可能に案内支持するようにしたことを特徴とする回路遮断器。
【請求項３】
請求項１または２に記載の回路遮断器において、切換スイッチがスライドスイッチであり、該スイッチを電子制御回路に通じる配線用基板に実装，接続し、かつスライドスイッチに被せたスイッチカバーの形状を平面Ｌ字形としてその延長部の先端に操作ノブを設けた上で、前記スライドスイッチを遮断器ケース内に配したトリップコイルユニットの上に配置し、さらにトリップコイルユニットのケース表面にはスライドスイッチと平行する凸条のガイドレールを形成し、該ガイドレールにスイッチカバーの延長部裏面に形成したガイド溝を嵌合してスイッチの切り換え操作方向へスライド可能に案内支持したことを特徴とする回路遮断器。
【発明の詳細な説明】
【技術分野】
【０００１】
本発明は、配線用遮断器，漏電遮断器など、低圧電路の過電流保護，地絡保護に適用する回路遮断器に関し、詳しくは回路遮断器に装備した遮断特性切換用のスイッチに対する操作部の絶縁構造に係わる。
【背景技術】
【０００２】
頭記の配線用遮断器，漏電遮断器は、その使用用途に応じてユーザーが遮断動作特性を選択的に変更できるようにするために、例えば漏電遮断器においては定格感度電流，動作時間を切り換えるための手動の切換スイッチを装備している。
次に、漏電遮断器を例に、前記した感度電流，動作時間の設定を切り換えるための切換スイッチを搭載した従来の遮断器構造を図５〜図８に示す。図において、１は下部ケース１ａ，上部カバー１ｂ，および上部カバー１ｂに付設した補助カバー１ｃからなる遮断器ケース（モールドケース）、２は主回路端子、３は開閉操作ハンドルであり、遮断器ケース１の前記補助カバー１ｃの内方にはトリップコイルユニット（漏電検知信号を受けて主回路接点の開閉機構（図示せず）をトリップさせる電磁ソレノイド）４に並べて遮断器の感度電流，動作時間の切換スイッチ５，６を搭載している。
【０００３】
この切換スイッチ５，６はスライドスイッチであり、図７，図８で示すように内部配線用のフレキシブル基板７（図示してない電子制御回路（漏電検知回路）に接続するための配線用基板）の上に実装，接続した上で、フレキシブル基板７とともにトリップコイルユニット４の上側に配置されている。
また、この切換スイッチ５，６を遮断器ケース１の外方から手動操作で切り換えるために、図５に示した補助カバー１ｃには切換スイッチ５，６と対応する操作窓穴１ｄを開口しておく。一方、切換スイッチ５，６には前記窓穴１ｄの防塵カバーを兼ねた操作ノブ付きのスイッチカバー（樹脂成形品）８を被せてスイッチの摘まみ５ａ，６ａに連結（スイッチカバー８の裏面側（操作ノブの真下）に凹所を形成し、これをスイッチの摘まみに嵌合して連結する）した上で、このスイッチカバー８の上面側に突き出た操作ノブ８ａを前記の操作窓穴１ｄに臨ませて配置している（例えば、特許文献１参照）。
そして、漏電遮断器の動作特性（感度電流，動作時間）の設定を変更する際は、前記操作窓穴１ｄの中に露呈しているスイッチカバー８の操作ノブ８ａを手動で移動操作する。
【特許文献１】特開２００２−２０８３４１号公報
【発明の開示】
【発明が解決しようとする課題】
【０００４】
近年になり、配線用遮断器，漏電遮断器については、感電防止の面から回路遮断器に要求される安全性が強化される傾向にあり、その安全性の規格においても人が直接操作する箇所についての絶縁性（絶縁沿面距離）を基礎絶縁の２倍以上にまで高めるように規定されている。ちなみに、最新の規格で規定されている絶縁性の一例を数値で表すと、定格インパルス耐電圧（Ｕｉｍｐ）６ｋＶ，汚染度３，定格電圧４００Ｖでは、空間絶縁距離：８mm，沿面絶縁距離：１２．６mm以上を確保するように定めている。
かかる観点から前記した切換スイッチ５，６について考察すると、切換スイッチは電圧数十Ｖ程度の電子制御回路（電子制御回路には電源回路を介して主回路の相間電圧を降圧して給電するようにしている）に接続されているので通常は感電のおそれはないが、使用中に電子制御回路の電源回路が短絡するなどの不測なトラブルが生じた場合には、切換スイッチ５，６に主回路電圧（例えば４００Ｖ）が直接印加されるおそれがある。
【０００５】
このことから、切換スイッチ５，６に組み合わせて遮断器ケース１に組み込んだスイッチカバー８についても、切換スイッチ５，６の本体と人が直接操作するスイッチカバー８の操作ノブ８ａとの間に前記規格で定めた空間絶縁距離，沿面絶縁距離を確保させる必要がある。この場合に、絶縁距離を大きくする手段としては、スイッチカバー９に設けた突起状の操作ノブ８ａを単純に長く（高さを大きくする）してその操作端面との間の絶縁距離を稼ぐことが考えられる。しかしながら、図７のように切換スイッチ５，６をトリップコイルユニット４の上に配置した組立構造をそのままに、スイッチカバー８の操作ノブ８ａを上方に長く延ばすと、遮断器ケース１の補助カバー１ｃに開口した操作窓穴１ｄも操作ノブ８ａの高さに合わせて変更する必要があり、その結果として遮断器ケース１の高さ寸法が増して回路遮断器が大形になってしまう。
【０００６】
本発明は上記の点に鑑みなされたものであり、遮断器ケース，およびケース内部の組立構造，レイアウトを変更せずに、回路遮断器に搭載した遮断特性切換用スイッチのスイッチカバーの操作部に所要の絶縁距離を確保して安全性を高めるよう改良した回路遮断器を提供することを目的とする。
【課題を解決するための手段】
【０００７】
上記目的を達成するために、本発明によれば、遮断器の使用用途に応じて遮断動作特性を切り換える切換スイッチを搭載し、かつ該切換スイッチの摘まみに連結してそのスイッチ本体に樹脂成形品になる操作ノブ付きスイッチカバーを被せた上で、そのスイッチカバーの操作ノブを遮断器ケースのカバーに開口した操作窓穴に臨ませて前記切換スイッチを手動で切り換え操作するようにした回路遮断器において、
前記スイッチカバーの一端を側方に延長した上で、そのカバー延長部上で切換スイッチと離間した位置に操作ノブを設けて遮断器ケースの操作窓穴内に配置する（請求項１）ものとし、具体的には次記のような態様で構成する。
(1) 切換スイッチおよびそのスイッチカバーの延長部を遮断器ケース内に配した別部品ユニットの上に配置するとともに、該ユニットの絶縁ケース面上にはガイドレールを形成し、該ガイドレールに沿って前記スイッチカバーの延長部に設けた操作ノブをスイッチ切り換え操作方向に案内支持させるようにする（請求項２）。
【０００８】
(2) 前記切換スイッチをスライドスイッチとして、該スイッチを電子制御回路に通じる配線用基板に接続し、かつスライドスイッチに被せたスイッチカバーを平面Ｌ字形としてその延長部の先端に操作ノブを設けた上で、前記スライドスイッチを遮断器ケース内に配したトリップコイルユニットの上に配置し、さらにトリップコイルユニットのケース表面にはスライドスイッチと平行する凸条のガイドレールを形成し、該ガイドレールにスイッチカバーの延長部裏面に形成した凹溝を嵌合してスイッチの切り換え操作方向へスライド可能に案内支持する（請求項３）。
【発明の効果】
【０００９】
上記の構成によれば、切換スイッチに被せたスイッチカバーの操作ノブをスイッチカバーの端部から側方（同じ面上）に延在するカバー延長部の上に設けてスイッチ本体から離間させたことにより、操作ノブと切換スイッチ本体との間に規格により規制された所要の絶縁沿面距離を確保することができる。しかも、在来製品と同じ外形サイズの遮断器ケースに各部品を従来と同様なレイアウトに組み込んだ組立構造で、スイッチカバーの操作ノブを遮断器ケースのカバーに開口した操作窓穴に臨ませ、この状態で切換スイッチを感電のおそれなしに外部からの手動操作で安全に切り換えることができる。
また、この場合にスイッチカバーの延長部を、遮断器ケース内に配した別部品，例えばトリップコイルユニットのケース（絶縁物）表面に形成したガイドレールに沿って切り換えスイッチの切り換え操作方向に案内支持したことにより、スイッチの切り換え操作を安定，かつ円滑に行うことができる。
【発明を実施するための最良の形態】
【００１０】
以下、本発明の実施の形態を図１〜図４に示す実施例に基づいて説明する。なお、実施例の図中で図５〜図８に対応する部材には同じ符号を付してその説明は省略する。
図示実施例の回路遮断器（漏電遮断器）は、基本的に図４〜図８に示した従来製品と同様な組立構造であり、漏電遮断器の定格感度電流，動作時間を遮断器の使用用途に応じて切換えるための切換スイッチ５，６にはスライドスイッチを採用し、かつ各スイッチをフレキシブル基板７の上に直線状に並べて実装，接続した上で、トリップコイルユニット４の上に配置して遮断器ケース１の中に組み込まれている。
一方、切換スイッチ５，６の摘まみ５ａ，６ａに連結してスイッチ本体の上に被せた樹脂成形品のスイッチカバー８は次のような構成になる。すなわち、スイッチカバー８は、図２(a),(b) で示すように平面形状がＬ字形であり、その操作ノブ（指をかける摘まみ部）８ａがスイッチ本体の領域から側方に延在する延長部８ｂの先端部分から上面に突き出すように形成されている。なお、８ｃは切換スイッチ５，６の摘まみ５ａ，６ａに嵌め込み結合するようにスイッチカバー８の裏面側に形成した窪み（凹部）、８ｄはカバーの延長部８ｂを後記のようにトリップコイルユニット４のケース（樹脂ケース）上面に形成したガイドレール４ａに沿ってスライド可能に案内支持するよう操作ノブ８ａの裏側に形成したガイド溝（凹溝）であり、前記ガイドレール４ａは切換スイッチ５，６の切り換え操作方向（スライドスイッチの摘まみの操作方向）と平行する向きに形成されている。
【００１１】
一方、遮断器ケース１の補助カバー１ｃ（図４参照）には前記したスイッチカバー８の操作ノブ８ａと個々に対応する操作窓穴１ｄが一列に並んで開口している。そして、図３に示したトリップコイルユニット４，切換スイッチ５，６，フレキシブル基板７，およびスイッチカバー８の組立体を遮断器ケース１の中に組み込んだ状態で、前記の操作窓穴１ｄの中にスイッチカバー８の操作ノブ８ａが臨むように配置されている。
上記の構成による切換スイッチ５，６の切り換え操作は従来製品と同様であり、遮断器ケース１の補助カバー１ｃに開口した操作窓穴１ｄに臨んでいるスイッチカバー８の操作ノブ８ａを指先で移動することにより、遮断器の感度電流，動作時間を切り換えることができる。しかも、前記操作ノブ８ａは切換スイッチ５，６の本体からから離間して位置していて両者間に所要の絶縁距離を確保しているので、例えば電子制御回路に生じた事故が基で切換スイッチ５，６に主回路電圧がそのまま印加された状態でスイッチカバー８の操作ノブ８ａに手を触れても感電のおそれがなくて安全性を確保できる。しかも、スイッチカバー８の延長部８ｂをカバーと同じ面上で側方に延在形成したことで、遮断器ケース１の限られた高さスペース内に配置することができる。
【００１２】
なお、図示実施例では、切換スイッチ（スライドスイッチ）５，６のカバー８の形状を平面Ｌ字形としてその屈曲した先端部に操作ノブ８ａを設けているが、前記カバーを切換スイッチのスライド方向へ単純に延長してその延長部上に操作ノブを設けて実施しても同様な効果が得られる。
【図面の簡単な説明】
【００１３】
【図１】本発明の実施例による切換スイッチを含む要部の組立て構造を表す分解斜視図
【図２】図１におけるスイッチカバーの構成拡大図で、(a),(b) はそれぞれ上面，裏面側から見た外形斜視図
【図３】図１に対応する要部構造の組立状態を表す斜視図
【図４】図３の組立体を遮断器ケースに組み込んだ状態での回路遮断器の外観斜視図
【図５】回路遮断器の従来製品の外観斜視図
【図６】図５の補助カバーを外した状態での内部構造を表す回路遮断器の斜視図
【図７】図６における切換スイッチを含む要部の組立て構造を表す外観斜視図
【図８】図７の分解斜視図
【符号の説明】
【００１４】
１    遮断器ケース
４    トリップコイルユニット
４    ガイドレール
５，６  切換スイッチ
５ａ，６ａ  摘まみ
７    フレキシブル基板（配線用基板）
８    スイッチカバー
８ａ  操作ノブ
８ｂ  カバー延長部
８ｄ  ガイド溝
【図１】
2005166274.tif 000003
【図２】
2005166274.tif 000004
【図３】
2005166274.tif 000005
【図４】
2005166274.tif 000006
【図５】
2005166274.tif 000007
【図６】
2005166274.tif 000008
【図７】
2005166274.tif 000009
【図８】
2005166274.tif 000010